(57)【要約】  方法は、ａ）コルクの本体に球状の衝撃用パーツ１６をねじ込んでコルクを軸方向に延在させ、ｂ）衝撃用パーツ１６が基準レベル１８よりも上に露出している状態で、瓶１４が当該レベルよりも下に延在するように、瓶を所定の位置に配向しかつ保持し、ｃ）例えばゴルフクラブのような打撃具２４のアーム部の端に位置する打撃面２２で衝撃用パーツを打つことから成る。このことによって、衝撃用パーツに対して打撃を与えることによってコルクのみを強制的に引き抜くことが出来る大きさの瞬間的な力がコルクに生成される。装置は、基準レベル１８を画定する土台１０と、瓶１４を垂直又は傾斜させることもできる所定の位置に配向し、かつ保持する手段３０とをさらに備える。【選択図】図１
2010517891.tif 000002
【特許請求の範囲】
【請求項１】
シャンパン等の瓶を密閉しているコルクに瞬間的な力を加えることによって該コルクを強制的に抜く方法であって、該方法は、
ａ）該コルク（４０）を該瓶から軸方向に伸張させるように、該コルクの本体に衝撃用パーツ（１６）を取り付けるステップと、
ｂ）該衝撃用パーツが基準高さ（１８）よりも上方に露出している状態で、該瓶（１４）が該基準高さよりも下方に延在するように、該瓶を所定の位置に配向して保持するステップと、
ｃ）打撃面（２２）が該衝撃用パーツに対して打撃を与えることによって該コルクのみを強制的に抜くのに必要な大きさの力を生成するような態様で、該打撃面により該衝撃用パーツに打撃を与えるステップと、
を有することを特徴とする方法。
【請求項２】
前記打撃面（２２）は、打撃具（２４）のアーム部の端に位置する、請求項１に記載の方法。
【請求項３】
前記ステップｃ）において使用される打撃具（２４）は、ゴルフクラブ形態の道具である、請求項２に記載の方法。
【請求項４】
前記ステップｂ）において、該瓶の主軸が前記衝撃用パーツに対する前記打撃面の打撃方向にほぼ垂直となるように該瓶が配向される、請求項１に記載の方法。
【請求項５】
前記ステップｂ）において、該瓶の主軸が前記衝撃用パーツに対する前記打撃面の打撃方向に対して９０度〜４５度の範囲にある角度をなすように該瓶が配向される、請求項１に記載の方法。
【請求項６】
前記衝撃用パーツ（１６）は、ほぼ球状の形状を有する、請求項１に記載の方法。
【請求項７】
請求項１ないし６のいずれか一項に記載の方法を実施するアセンブリであって、該アセンブリは、瓶のコルク（４０）を軸方向に伸張させるのに適している衝撃用パーツ（１６）を備え、該衝撃用パーツは、該コルクの本体に該衝撃用パーツを取り付けるための手段（３６、３８）を含んでおり、該アセンブリは瓶支持体を備え、該瓶支持体は、基準高さ（１８）を画定する土台（１０）と、該衝撃用パーツが該基準高さよりも上方に露出している状態で、該瓶（１４）が該基準高さよりも下方に延在するように、該瓶を所定の位置に配向させかつ保持する手段（３０）とを備えることを特徴とする、アセンブリ。
【請求項８】
アーム部及び該アーム部の端に位置する打撃面（２２）を備える打撃具（２４）をさらに備える、請求項７に記載のアセンブリ。
【請求項９】
前記打撃具（２４）は、ゴルフボール形式の道具である、請求項８に記載のアセンブリ。
【請求項１０】
前記衝撃用パーツ（１６）は、ほぼ球状の形状を有する、請求項７に記載のアセンブリ。
【請求項１１】
前記コルク（４０）の本体に前記衝撃用パーツ（１６）を取り付けるための手段は、自己螺子切り型スクリュー（３８）を備える、請求項７に記載のアセンブリ。
【請求項１２】
前記自己螺子切り型スクリュー（３８）の中間部位（５８）の周囲で前記衝撃用パーツ（１６）と前記コルク（４０）の本体との間に配置されるスペーサ（６２）をさらに備える、請求項１１に記載のアセンブリ。
【請求項１３】
前記衝撃用パーツ（１６）及び前記コルク（６４）は、単一部品として形成されている、請求項７に記載のアセンブリ。
【請求項１４】
前記コルク（４０）は、前記瓶の首部と接する外側部分（６８）と、前記衝撃用パーツ（１６）に取り付けられるのに適している内側部分（６６）とから成る、２つの同軸部分として形成されている、請求項７に記載のアセンブリ。
【請求項１５】
前記コルク（４０）は、破断可能要素（７６；８６）によって分離される、前記瓶の首部に固定される第１の固定部分（７２、７８）と、前記衝撃用パーツ（１６）と共に引き抜かれるように該衝撃用パーツに取り付けられるのに適している第２の部分（７４、８０）との、２つの部分（７２、７４；７８、８０）から成る、請求項７に記載のアセンブリ。
【請求項１６】
前記破断可能要素（８６）と前記第１の部分（７８）との間に、前記第１の部分（７８）に取り付けられる手段を備える領域（８４）を含む、請求項１５に記載のアセンブリ。
【請求項１７】
前記瓶の内部の容積を加圧する外部手段をさらに備える、請求項７に記載のアセンブリ。
【発明の詳細な説明】
【技術分野】
【０００１】
本発明は、シャンパン又は類似の飲料（スパークリングワイン、発泡性飲料及び炭酸飲料等）等の瓶からコルクを抜く方法に関する。本発明はまた、当該方法を実施する装置に関する。
【０００２】
尚、本発明は、瓶又は容器の種類や、その中身によって限定されるものではなく、本発明は、飲料が炭酸であるか又は（推進ガスによって加圧される）加圧容器に入っているかにかかわらず、あらゆる種類の飲料に適用することができることに留意されたい。
【０００３】
本発明を、加圧されていない瓶又は容器に入っている非炭酸飲料に適用することもできる。但し、このような条件下では瓶の開栓時の効果はあまり劇的なものではなくなる。
【背景技術】
【０００４】
シャンパンのコルク等を引き抜く通常の方法は、ガスの推力によってコルクが抜けるまで、引っ張りと捻りとの合成力を徐々に加えるというものである。この動作は、素手で行われ得るか、又はクランプ、若しくは（特許文献１の場合のように）コルクをよりしっかりと把持するため若しくは（特許文献２及び特許文献３の場合のように）レバー（てこ）システムにより力の度合いを上げるために他の道具の力を借りて行われ得る。
【０００５】
別の既知の技法は、（特許文献４の場合のように）瓶の首部のリムに対して軸方向に強烈な打撃を伝えるブレードの形態の工具を使用することによって瓶の首部に亀裂を入れて開栓するというものである。この衝撃は、瓶の首部を見事に破断する効果を有する局所的な応力を生成し、それによって、コルクを抜くまでもなく瓶が開栓される。
【先行技術文献】
【特許文献】
【０００６】
【特許文献１】仏国特許出願公開第２８７８５１４号明細書
【特許文献２】米国特許第５，５２８，９６１号明細書
【特許文献３】米国特許第６，０６２，１０７号明細書
【特許文献４】欧州特許出願公開第０９３４９０２号明細書
【発明の概要】
【０００７】
本発明による方法は、本質的には、瓶を開栓しようとする者によって把持される打撃具を使用することによって、瞬間的に制御された力を（瓶ではなく）コルクに作用させてコルクを取り出すというものである。この力は、予めコルクに取り付けられている衝撃用パーツを介して伝達される。
【０００８】
より具体的には、本発明の方法は、以下の連続的な工程によって特徴付けられている。
ａ）コルクを瓶から軸方向に伸張させるように、コルクの本体に衝撃用パーツを取り付ける工程と、
ｂ）衝撃用パーツが基準レベル（基準高さ）よりも上に露出している状態で、瓶が基本的に当該レベルよりも下に延在するように、瓶を所定の位置に配向して保持する工程と、
ｃ）衝撃用パーツに対する打撃面による打撃によって、コルクのみを強制的に引き抜くのに十分な大きさの力を生成するように、衝撃用パーツに打撃面で打撃を与える工程である。
【０００９】
特に、打撃面は、例えば、ゴルフクラブ形態の道具のような、打撃具のアーム部の端に位置させることが出来る。
【００１０】
ところで、この技法は、極めて劇的であるという利点を有するため、祭典、公式のトロフィー授与式等に特に適している。
【００１１】
「取り付ける」という用語は、本明細書中では、後述するように、剛性であると共に変形可能であるコルクと衝撃用パーツとの間に接続が確立されることを意味するように使用されており、例えば、一端がコルクに締結され他端が衝撃用パーツに締結されるケーブルによってコルクと衝撃用パーツとの間に接続が確立されるが如しである。取り付けることは、コルクと衝撃用パーツとを備えたワンピース構造を用いることによって、又は後述するような他の変形形態を用いることによって達成するようにしてもよい。
【００１２】
「コルク」という用語は、瓶の首部に押し込まれるコルクから形成される従来のストッパのみならず、他の材料（特にプラスチック材料若しくはアルミニウム）から形成される閉鎖手段、又は他の方法で瓶を密閉するように機能する他の手段も包含するように当該用語が使用されていることも明記しておく。
【００１３】
当該方法の種々の特定の実施態様では、ステップｂ）において、瓶は、打撃面が衝撃用パーツに対して打撃を与える方向に対して瓶の主軸が基本的に垂直であるように配向され得るか、又は瓶の主軸は当該方向に対して９０度〜４５度の範囲にある角度をなし得る。
【００１４】
本発明は、上記方法を実施するためのアセンブリ（組立体）も提供するものであり、該アセンブリは、瓶のコルクを軸方向に延ばすのに適している衝撃用パーツを備え、該衝撃用パーツは、コルクの本体に該衝撃用パーツを取り付ける手段を含み、該アセンブリは瓶支持体を備え、該瓶支持体は、基準高さ（基準レベル）を画定する土台（podium）と、衝撃用パーツが基準高さよりも上に露出している状態で、瓶が基本的に当該レベルよりも下に延在するように、瓶を所定の位置に配向しかつ保持する手段とを備えている。
【００１５】
「土台」という用語は、極一般的な意味に理解されるべきであり、後述する例のような、一段高くした平面プラットフォームのみならず、打撃の基準レベルが画定されるあらゆる平面又は曲面（例えば溝形状のサーフ「レール」）を意味する。
【００１６】
当該アセンブリは、端に打撃面が位置しているアーム部を備える打撃具も含み得る。とりわけ、打撃具は、ゴルフクラブ形態の道具であり得る。
【００１７】
衝撃用パーツは、好ましくは、球状の形態を有する。コルクの本体に衝撃用パーツを取り付ける手段は、スペーサが中間部位の周囲で衝撃用パーツとコルクの本体との間に介装されていることが有利である、自己螺子切り型スクリューも備えることができる。
【００１８】
一変形形態においては、衝撃用パーツ及びコルクは、単一部品として作製されてもよく、及び／又はコルク自体が、２つの同軸部分、具体的には、瓶の首と接触する外側部分と、衝撃用パーツに固定されるのに適している内側部分とから成っていてもよい。
【００１９】
別の変形形態では、コルクは、破断可能要素によって統合される２つの部分から成り、第１の固定部分が瓶の首に固定されていて、且つ第２の部分が衝撃用パーツと共に取り出されるように衝撃用パーツに取り付けられるのに適している。第１の部分に取り付けられる手段を含む領域を、破断可能要素と第１の部分との間に任意にオプションとして設けてもよい。
【００２０】
最後に、アセンブリにはまた、瓶の内部容積を加圧する外部の手段を設けるようにしてもよい。
【００２１】
次に、本発明の装置の一実施形態を添付の図面を参照して説明する。当該図面では、同一であるか又は機能的に類似している要素を指すために図面を跨いで同様の参照符号が用いられている。
【図面の簡単な説明】
【００２２】
【図１】本発明の技法によってコルクを引き抜くために使用される種々の要素の構成を示す全体図である。
【図２】瓶支持体を示す拡大図である。
【図３】衝撃用パーツと、衝撃用パーツを瓶のコルクに取り付ける態様とをより正確に示す図である。
【図４】本発明の方法によってコルクが引き抜かれる態様を示す図である。
【図５】衝撃用パーツをコルクに取り付ける１つの特定の技法を詳細に示す断面図である。
【図６】衝撃用パーツを組み込んでいるワンピースコルクを示す。
【図７】コルクが２つの同軸部分として形成されている、図６の変形形態を示す。
【図８】瓶の開栓時の液体の飛沫を最大化及び制御するように構成されている、コルクと衝撃用パーツとを備えるアセンブリ（組立体）の一変形形態を示す。
【図９】瓶の開栓時の液体の飛沫を最大化及び制御するように構成されている、コルクと衝撃用パーツとを備えるアセンブリ（組立体）の別の変形形態を示す。
【図１０】瓶の開栓時の液体の飛沫を最大化及び制御するように構成されている、コルクと衝撃用パーツとを備えるアセンブリ（組立体）のさらに別の変形形態を示す。
【発明を実施するための形態】
【００２３】
本発明の方法を実施するには、図１に全体的に示すように、要素を組み合わせて使用することが必要である。土台１０が、開栓用の瓶１４を収容する旋回可能支持具が取り付けられている支持体１２を含む。瓶のコルクには衝撃用パーツ１６、例えばゴルフボールのサイズ及び外観を有する球状パーツが設けられ、土台１０の水平面１８よりもわずかに上に位置付けられる。
【００２４】
開栓を続行するには、使用者２０が土台の上に立ち、ゴルフクラブ２４（「アイアン」又は「ウッド」）のヘッド２２で衝撃用パーツ１６を打つ。これによって、衝撃用パーツ１６と、衝撃用パーツ１６に取り付けられているコルクとを同時に抜く効果が発揮される。
【００２５】
土台１０は、使用者２０が衝撃用パーツ１６に対して正しい配置に就くことを可能にするように、約１平方メートル（ｍ２）の面積を占める。土台１０は、最低でも約３５センチメートル（ｃｍ）の高さを有する。この高さは、瓶が、その首以外が基本的に土台の上面１８よりも下にあることを確実にするのに十分である。土台の側壁を使用して、広告又は情報メッセージを掲げることもできる。
【００２６】
図２は、瓶支持手段１２の構造をさらに詳細に示す。瓶支持手段は、瓶１４の底部を保持するように設計されている基部２６と、首の拡径部を支持具２８に当接させて当該瓶が上方に移動することを防止しながら当該瓶の首を収容する支持具２８とを備える。基部２６及び支持具２８は、瓶の長手方向軸が水平面に対して３０度〜９０度の範囲（例えば図２に示している例では４５度）の角度をなすように瓶の傾斜角度を可変にする回転機器３０に取り付けられる。回転機器３０の回転軸３２は、基準高さ（基準レベル）１８（土台１０の上面）に対する衝撃用パーツ１６の高さのばらつきを、取り得る多種多様な位置において最小限にするように配置される。
【００２７】
当然ながら、支持具の調整を変更することによって、使用者は、瓶が傾斜位置にある状態で衝撃用パーツ１６（図２において実線で示されている）を打つか、又は瓶が垂直位置にあり且つ衝撃用パーツが、瓶が傾いている場合と同様に基準平面１８に対して基本的に同じ高さに配置されている状態で衝撃用パーツ（破線で示されている、１６’）を打つかを選択することができる。
【００２８】
左利きの使用者の場合、反対の構成を提供するように、円形の土台を旋回させて、支持体１２の位置と回転機器３０との位置を逆にすることが適当である。
【００２９】
示されている特定の支持体は、他にある例の中の一例に過ぎず、水平面１８に対して正しい高さに位置付けられている衝撃用パーツと共に瓶を所望の向きに配置して保持することが可能である限り、多くの実施形態を構想することができることに留意されたい。したがって、例えば、瓶の形状に相補的な形状の中空の受け口に瓶を配置することによって、土台に直接、瓶を係合させることが可能である。
【００３０】
しかしながら、土台に立つ使用者によって扱われるゴルフクラブを用いて衝撃を加えるという例示に、本発明は限定されるものではない。
【００３１】
第１に、関連するスポーツに依存して、すなわち打撃が行われるレベル(高さ）によって、基準レベル（図１及び図２の例における土台の平面１８に相当する）が変わるようにしてもよい。ゴルフの場合、このレベルはプレイヤーの両脚が載っている平面と同じ高さであるが、ポロ等の他のスポーツの場合、打点は脚よりも低い高さにある。これとは逆に、テニス又は野球等のスポーツの場合、打点はプレイヤーの両脚よりも高い位置にある。
【００３２】
さらに、結果として生じる打撃は、打撃部に対する衝撃の結果としてコルク単体を押し出すのに十分である限り、衝撃用パーツは、打撃道具（図１及び図２の例ではゴルフクラブ）の端部に位置する打撃面のみならず、直接的に人体の一部、例えば脚又は手によっても打撃を与えられる可能性がある。例えば、空手家又はサッカー選手がそれぞれ手又は脚を使用して、コルクに固定されている衝撃用パーツに打撃を与えることよって、コルクを抜くことができる。
【００３３】
図３は、瓶１４のコルク４０に固定される衝撃用パーツ１６の一例を示す。
【００３４】
示されている例では、衝撃用パーツ１６は、球状であり、ゴルフボールと類似している外観を有し、ゴルフボールと同等な寸法（直径約４０ミリメートル（ｍｍ））を有しており、二条螺子スクリュー３８を収容するインサート３６が内部に設けられている。
【００３５】
スクリュー３８の露出部は、コルク４０の本体にねじ込まれるように構成されている。このため、スクリュー３８は有利には自己螺子切り型スクリュー（セルフドリリングスクリュー）であり、手で、コルクの上面を覆っている金属膜をも貫いてねじ込ませるのに適している。スクリュー３８は、およそ６ｍｍ〜８ｍｍの直径を有しており、その露出部の長さがおよそ２０ｍｍ〜４０ｍｍである。これらの値は、良い妥協を提供するのに十分であり、衝撃時に首部が破断してしまうことがなく、かつスクリューがコルクを裂いてしまうことがないことを確保する。
【００３６】
ねじ込み動作は、衝撃時に力を伝達するようにコルクに対してパーツ１６を押圧する役割を果たす。衝撃用パーツ１６の、コルク４０に面する部位において、衝撃用パーツ１６は、衝撃時により良好な応力分散を達成するように、コルクの外面４４に対して形状が相補的であるリセス(凹部）４２を任意選択的に有することができる。
【００３７】
多くの変形形態、例えば、衝撃用パーツ１６に完全な球形状を与え、コルクに凹みをつけて相補的な形状の凹部を形成する変形形態を構想することができる。さらに、スクリュー（ねじ）３８を、インサートを設けること以外の多くの技法を使用して、衝撃用パーツ１６の本体に締結してもよい。スクリューは、パーツ１６を貫いて直進し、スクリュードライバによって締められることができる。その他、パーツ１６に、スクリューを埋め込んで成形するようにしてもよい。
【００３８】
図４は、コルク４０に取り付けられたパーツ１６に対する衝撃時の瞬間の現象を示している。
【００３９】
コルク４０を保持している針金キャップがある場合はこれを外した後、使用者は、ゴルフクラブ２４のアイアン２２でパーツ１６を、概ね水平な方向に（矢印４６）、すなわち、土台の平面（符号１８によって示される平面）に平行な方向に打つ。土台の平面から上方に衝撃用パーツ１６が突出している。この動きは、衝撃時においては土台に対して接するように進んでいく、流れる円状のスイングでもあり得る。アイアン２２のフロントフェース４８の球状パーツ１６に対する瞬間的な衝撃によって、一瞬でパーツと共にコルク４０が引き抜かれ（矢印５０）、その結果として、瓶は開栓され、その中身を劇的に噴出する。
【００４０】
打撃部位には、打撃の失敗による首部の破壊を防止すべく、瓶の首部を保護する役割を果たすカバー又はおおい５２を設けるようにしてもよい。
【００４１】
図５は、図３の締結システムの一変形形態を示す。自己螺子切り型（セルフドリリング）の二条螺子スクリュー３８は、その２つのねじ山付き部分５４及び５６間に、平滑な軸部分５８及び、当該平滑部分５８と衝撃用パーツ１６に挿入されるねじ山付き部分５６との間に位置するカラー６０を有する。この特定した構成によって、これら２つのパーツ（衝撃用パーツとコルク）の極めて強固な結合を確保しながら、これらのパーツ（衝撃用パーツとコルクと）の間に付加的な距離を設けるように、スペーサ６２を衝撃用パーツ１６と、コルク４０との間に配置することができる。スペーサ形成部分６２は、自己螺子切り型スクリュー（セルフドリリングスクリュー）３８の平滑中央部位５８の周囲に延在し、有利には、ディアボロ又はゴルフのティーを連想させるようにわずかに凹んでいる外形を有する。スペーサは、打撃面による衝撃時の強烈な力に耐えてこれを伝達する役割を果たすと共に、打撃を誤った場合に瓶の首部を保護するように、衝撃部を瓶の首部から少しずらす役割も果たす。
【００４２】
図６は、別の構成を示しており、ここでは、コルク及び衝撃用パーツ１６が単一部品として構成されている。この目的のため、衝撃用パーツ１６の一部が、従来のコルクと同じように瓶を密閉することができる円筒状部分６４として瓶１４の方向に延在する。
【００４３】
図７は、別の変形形態を示しており、ここでは、瓶は、二つのコルク部分である二部合体コルクによって密閉されている。当該コルクは、衝撃用パーツ１６に固定されている（又は図示のように衝撃用パーツ１６と一体である）中央部分６６と、外側部分６８とから成る。２つの部分６６及び６８は、同軸であり、互いに係合されている。次いで、その組立体は、瓶１４に栓をするように瓶１４の首部に挿入される。このタイプの二部合体コルクは、衝撃時において外側部分６８を瓶１４の首部に残したまま、中央部分６６のみを衝撃用パーツ１６により抜くことを可能にする。したがって、瓶の開口部は、首部自体の直径よりも小さくなっており、この小さくされた直径（これは従来の方法で開栓される瓶の欠点となる）は、コルクが引き抜かれた後、中身が噴出する際に液体の飛沫を最大化するのに役立つ。
【００４４】
図８〜図１０は、コルクと衝撃用パーツとを備えるアセンブリ（組立体）のさらに別の変形形態を示しており、これは、特に、瓶が開栓される際の液体の飛沫を最大化させかつ制御するのに役立つ。
【００４５】
図８に示されている実施形態では、図７におけるように、コルクが２つの部分から成っており、外側部分６８に押し込まれた後に瓶の首部にさらに押し込まれる中央部分６６を含む。中央部分６６は、機械工具の円錐係合要素のように形状がわずかに円錐形であり、それによって、ｉ）封止するために十分に強固な接着を得ると共に、ｉｉ）単に打撃によって容易に栓抜き出来る。
【００４６】
中央部分６６と、衝撃用パーツ１６とを備えるアセンブリ（組立体）を抜いた後、この構成は、比較的小さい直径の液体噴出口を有することができ、それによって、飛沫の振幅の度合い及び持続時間を増加させることが可能になる。瓶の底部から液体を引き出すことによって噴出され得る液体の量を増やすように、コルクの、開栓後において適切に残存する部分６８に固定される延長チューブ７０を設けることによって、この現象をさらに増長させることができる。
【００４７】
図９の変形形態では、コルク４０は、「破断部７６」によって、すなわち、衝撃用パーツに対する打撃により切断し得るか又は引き裂かれ得る要素によって、共に結合される２つの部分７２及び７４を備える。瓶の首部に挿入される部分７２は、栓抜き後にも瓶に取り付けられたままである。部分７２には、部分７４が抜き取られると瓶の内部容積を外部と連通させるように、軸方向の貫通孔が設けられている。有利には、この孔は、図８を参照して説明した機能を実行する浸漬チューブ７０に繋がって延びる。
【００４８】
コルクの、首部の外側にある部分７４は、破断要素７６が衝撃時に引裂かれた後に内側部分７２から分離することができるように、衝撃用パーツ１６に取り付けられている。この２つの部分が引裂かれることによって、部分７２の中央孔が開放され、それによって、瓶に入っている液体が噴出することが可能になる。
【００４９】
図１０は、再利用可能な装置を意図しているさらに別の実施形態を示す。
【００５０】
この目的のために、コルク４０は、瓶１４に取り付けられていて開栓後に瓶１４に取り付けられたままの状態になるように構成されている固定部分７８と、アセンブリ（組立体）の残りの部分が再利用されることを可能にするように交換可能である、一回毎に使い捨てされる第２の部分８０とを備える。
【００５１】
具体的には、第２の部分８０は、衝撃用パーツ１６に取り付けられている、例えばゴルフのティーの形態である第１の領域８２を備える。その反対側の端部においては、領域８４が、例えば、相互係合によって（変形可能な材料を使用する場合）又は螺子留めによって（剛性材料を使用する場合）、コルクの第１の部分７８に取り付けられるように構成されている。領域８２及び８４は、図９を参照して説明した要素７６と同じ機能を果たす破断可能部分８６によって共に結合される。
【００５２】
有利には、アセンブリ（組立体）はチューブ８８を有し、当該チューブ８８は、コルク４０の第１の固定部分７８を貫通しており、瓶１４の内部容積の上部を、閉止用逆止弁９０を介して外部に連通させる。良好なシール（封止）を達成するために、コルクの固定部分７８はカラー９２によって瓶の首部に固定される。当該カラー９２により、瓶の首部の自由縁とコルク４０の部分７８の内部との間に介装される封止ガスケット９４が圧縮されることを可能にする。
【００５３】
この構成は、瓶の内部容積が、外部の圧力源、例えば土台に位置する圧縮機に接続されることを可能にする。したがって、液体が噴出されている間も瓶の内部の圧力を連続的に制御することが可能になる。次いで、通常のレギュレータ手段を備える空気圧回路がこの段階中に、瓶の内部容積の圧力をほぼ一定に確保することを可能にする。
【００５４】
この技法は、圧縮機によって与えられる圧力、噴出口のサイズ、及び瓶に入っている液体の量に基づいて、液体飛沫または噴霧の質、出力の度合い、直径、及び持続時間を所望に応じて制御することを可能にする。
【図１】
2010517891.tif 000003
【図２】
2010517891.tif 000004
【図３】
2010517891.tif 000005
【図４】
2010517891.tif 000006
【図５】
2010517891.tif 000007
【図６】
2010517891.tif 000008
【図７】
2010517891.tif 000009
【図８】
2010517891.tif 000010
【図９】
2010517891.tif 000011
【図１０】
2010517891.tif 000012
【国際調査報告】
2010517891.tif 000013
2010517891.tif 000014
2010517891.tif 000015
2010517891.tif 000016